(57)【要約】【課題】本発明は、コンセント等の電気機器を備える収納部を所望の箇所に配置可能なシステム家具の提供を目的とするものである。【解決手段】本発明は、物が載置又は収納可能な複数の収納部と、上記収納部を複数の態様により支持及び着脱可能な支持部とを備え、上記収納部による収納の組み合わせを複数選択可能なシステム家具であって、外部電源から電気が供給される電気接続部をさらに備え、上記支持部が、上記電気接続部と電気的に接続する導電体部を有し、上記収納部の少なくとも一つが、上記支持部により支持される際に上記導電体部に接合するコネクタ及び、このコネクタを介し上記導電体部と電気的に接続する電気機器を有することを特徴とする。【選択図】図１
2014039618.tif 000002
【特許請求の範囲】
【請求項１】
物が載置又は収納可能な複数の収納部と、
上記収納部を複数の態様により支持及び着脱可能な支持部とを備え、
上記収納部による収納の組み合わせを複数選択可能なシステム家具であって、
外部電源から電気が供給される電気接続部をさらに備え、
上記支持部が、上記電気接続部と電気的に接続する導電体部を有し、
上記収納部の少なくとも一つが、上記支持部により支持される際に上記導電体部に接合するコネクタ、及びこのコネクタを介し上記導電体部と電気的に接続する電気機器を有することを特徴とするシステム家具。
【請求項２】
上記支持部が、上記導電体部を複数有し、
一の導電体部と電気的に接続される上記電気機器を有する上記収納部が、上記複数の導電体部にそれぞれ接合する上記コネクタ及びこれらのコネクタを介し上記複数の導電体部とそれぞれ電気的に接続する上記電気機器を有する請求項１に記載のシステム家具。
【請求項３】
外部通信ネットワークと通信接続するネットワーク接続部、及びこのネットワーク接続部と通信接続する一の電力線搬送通信機器をさらに備え、
上記電気機器の少なくとも一つが他の電力線搬送通信機器であり、
この他の電力線搬送通信機器と電気的に接続する上記導電体部が、上記一の電力線搬送通信機器と電気的に接続する請求項１又は請求項２に記載のシステム家具。
【請求項４】
上記収納部のコネクタが、上記収納部の背面に複数個配設され、
上記電気機器が、上記収納部の上面に複数個配設される請求項１、請求項２又は請求項３に記載のシステム家具。
【請求項５】
上記電気接続部と少なくとも一つの上記導電体部との電気的接続を制御する制御手段を有する制御部をさらに有する請求項１から請求項４のいずれか１項に記載のシステム家具。
【請求項６】
上記電気接続部と電気的に接続するバッテリをさらに備え、
上記制御手段が、上記外部電源から電気が供給される状態と上記バッテリから電気が供給される状態とを切り替える請求項５に記載のシステム家具。
【請求項７】
上記制御手段に制御の指示及び上記制御手段から制御状況を取得する処理手段と、
この処理手段に対する入出力インタフェースである入出力手段と
をさらに備える請求項５又は請求項６に記載のシステム家具。
【発明の詳細な説明】
【技術分野】
【０００１】
本発明は、システム家具に関する。
【背景技術】
【０００２】
生活スタイルにあわせて収納スペースを多様に組み合わせることが可能なシステム家具が普及している。このシステム家具は、ボックス形状の引き出しや戸棚等を組み合わせて家具を構築していくタイプが一般的である。
【０００３】
しかし、システム家具には統一された規格がないため、各メーカーが独自の規格を設けているのが現状であり、このためメーカーの異なる部品は組み合わせることが非常に困難であり、また、同一メーカーでもモデルチェンジ等により、後からの買い足しや増設は事実上困難である。
【０００４】
そこで、隣接する側板同士を容易に連結でき、レイアウトの自由度が高いシステム家具が提案されている（特開平１１−７５９４９号公報参照）。これは、隣接する側板とこれらに挟まれた連結箱とにより任意の位置で容易に連結作業を行うことができ、レイアウトを自由に調節できるものである。
【０００５】
しかし、このようなシステム家具においては、システム家具に載置する電化製品の差し込みプラグを挿脱するコンセント（プラグ受け）が設けられていない場合が多い。そのため、システム家具に載置する電化製品の電源コードを家等のコンセントに接続する必要があり、電源コードがシステム家具の外部に露出する。また、システム家具にコンセントが予め設けられている場合においても、一般的にシステム家具に予め設けられているコンセントは１箇所に集約されていることが多いため、配線作業は煩雑であり、また、コンセント周辺は、複数の配線が集中し、埃等が溜まりやすくなる。
【先行技術文献】
【特許文献】
【０００６】
【特許文献１】特開平１１−７５９４９号公報
【発明の概要】
【発明が解決しようとする課題】
【０００７】
本発明は、上述のような事情に鑑みてなされたものであり、コンセント等の電気機器を備える収納部を所望の箇所に配置可能なシステム家具の提供を目的とするものである。
【課題を解決するための手段】
【０００８】
上記課題を解決するためになされた本発明のシステム家具は、物が載置又は収納可能な複数の収納部と、上記収納部を複数の態様により支持及び着脱可能な支持部とを備え、上記収納部による収納の組み合わせを複数選択可能なシステム家具であって、外部電源から電気が供給される電気接続部をさらに備え、上記支持部が、上記電気接続部と電気的に接続する導電体部を有し、上記収納部の少なくとも一つが、上記支持部により支持される際に上記導電体部に接合するコネクタ及び、このコネクタを介し上記導電体部と電気的に接続する電気機器を有することを特徴とする。
【０００９】
当該システム家具は、外部電源から電気が供給される電気接続部と支持部の導電体部とが電気的に接続しているため、収納部のコネクタを介しこの導電体部と電気的に接続している収納部の電気機器に電気が供給される。そして、この電気機器を備える収納部は、収納の組み合わせを複数選択可能なように構成されているため、支持部の導電体部の電気機器を配設したい箇所に収納部のコネクタを接合することにより、電気機器を備えた収納部を所望の箇所に配設することができる。
【００１０】
また、上記支持部が、上記導電体部を複数有し、一の導電体部と電気的に接続される上記電気機器を有する上記収納部が、上記複数の導電体部にそれぞれ接合する上記コネクタ及びこれらのコネクタを介し上記複数の導電体部とそれぞれ電気的に接続する上記電気機器を有することが好ましい。かかる構成により、収納部が複数の電気機器を有するため、一つの収納部において複数の電気機器を同時に利用することができる。
【００１１】
当該システム家具においては、外部通信ネットワークと通信接続するネットワーク接続部、及びこのネットワーク接続部と通信接続する一の電力線搬送通信機器をさらに備え、上記電気機器の少なくとも一つが他の電力線搬送通信機器であり、この他の電力線搬送通信機器と電気的に接続する上記導電体部が、上記一の電力線搬送通信機器と電気的に接続することが好ましい。かかる構成により、電力線搬送通信機器によって導電体部が通信ネットワーク回線として機能するため、ネットワーク接続部を介し外部通信ネットワークと収納部の電力線搬送通信機器とがネットワーク接続される。これにより、収納部に載置／収納する情報処理機器を収納部の電力線搬送通信機器にネットワーク接続することにより、情報処理機器は外部通信ネットワークを利用することができる。
【００１２】
また、上記収納部のコネクタが、上記収納部の背面に複数個配設され、上記電気機器が、上記収納部の上面に複数個配設されることが好ましい。支持部の導電体部と電気的に接続するコネクタを収納部の背面に配設することにより、電気的接続箇所を隠すことができ、上記電気機器が上記収納部の上面に配設されることにより、収納部の上面に電気製品を載置する場合においては、簡便に電気製品の電源コードを電気機器に接続することができる。
【００１３】
当該システム家具においては、上記電気接続部と少なくとも一つの上記導電体部との電気的接続を制御する制御手段を有することが好ましい。かかる構成により、導電体部ごとに電気的接続を制御することができるため、一の導電体部に電気的に接続する電気機器すべての電気的接続を同時に制御することができる。
【００１４】
さらに、上記電気接続部と電気的に接続するバッテリをさらに備え、上記制御手段が、上記外部電源から電気が供給される状態と上記バッテリから電気が供給される状態とを切り替える構成が好ましい。かかる構成により、所望のタイミングで利用する電気供給源を選択することができるため、コスト的優位な時間帯にバッテリに蓄電しておき、そうでない時間帯にその電気を利用することで電気コストを節約することができる。
【００１５】
また、上記制御手段に制御の指示及び上記制御手段から制御状況を取得する処理手段と、この処理手段に対する入出力インタフェースである入出力手段とをさらに備えることが好ましい。かかる構成を備えることにより、電気接続部と導電体部との電気的制御を状況に応じ調整することができる。例えば一の導電体部の電気量が所定の電気量を超えた場合は、入出力手段によりその状況が使用者に通知され、使用者がその通知を受けて入出力手段を介し処理部に対して電気的制御を支持することにより、一の導電体部の電気的制御を調整することができる。
【００１６】
上記説明において、「背面」とは、システム家具を使用する際に載置した場合の後ろ側の面を意味する。また、「上面」とは、システム家具を使用する際に載置した場合の上側の面を意味する。
【発明の効果】
【００１７】
以上説明したように、本発明のシステム家具は、コンセント等の電気機器を備える収納部を所望の箇所に配置することができる。
【図面の簡単な説明】
【００１８】
【図１】本発明の一実施形態に係るシステム家具の斜視図である。
【図２】図１のシステム家具における収納部の斜視図ある。
【図３】図１のシステム家具における支持部の部分的斜視図である。
【図４】図１のシステム家具における支持部の断面図であり、（ａ）は図３の支持部のＡ−Ａ線に沿った断面図であり、（ｂ）はＢ−Ｂ線に沿った断面図である。
【図５】図１のシステム家具におけるコントロールボックスの模式図である。
【図６】図１のシステム家具と異なる他の実施形態に係るシステム家具の斜視図である。
【図７】図６のシステム家具における収納部の斜視図である。
【発明を実施するための形態】
【００１９】
以下、適宜図面を参照しつつ本発明の実施の形態を説明する。
【００２０】
図１に示すように、当該システム家具１は、複数の収納部２、支持部３及びコントロールボックス４を有する。
【００２１】
＜収納部２＞
収納部２は、支持部３により支持され、着脱可能に構成される。この収納部２は、両側面の上下方向の中央部分に凸部１５が形成されおり、後述する支持部３の支持用凹部２１に嵌合することにより支持部３に支持される。
【００２２】
また、収納部２は、複数タイプの収納部２があり、例えば引出タイプの収納部２（ａ）や天板タイプの収納部２（ｂ）がある。また、これらの収納部２は、所望の箇所の支持部３の支持用凹部２１に収納部２の凸部１５を嵌合させることにより、収納部２を所望の箇所に配設することができる。
【００２３】
収納部２は、図２に示すように、複数のコネクタ１１並びに電気機器の複数のコンセント１２、複数のＵＳＢ電源１３及び電力線搬送通信機器１４を有する。また、コネクタ１１とコンセント１２等のそれぞれの電気機器とを電気的に接続する電力線（図示省略）が収納部２の内部に埋設される。
【００２４】
コネクタ１１は、収納部２の背面の横方向に複数個形成される。このコネクタ１１は、後述する支持部３のコネクタ用凹部２２に嵌合するよう形成され、コネクタ１１の両側面に凹部が形成される。また、コネクタ１１は、支持部３の導電体部２３の電極と電気的に接続するための電極が形成される。この電極は、コネクタ１１の両側面に形成される凹部の内部に表出しており、コネクタ１１が、支持部３のコネクタ用凹部２２に嵌合している状態において、支持部３の導電体部２３の電極と当接する。これにより、コネクタ１１は支持部３の導電体部２３と電気的に接続する。
【００２５】
コンセント１２は、収納部２の上面に複数個配設される。また、コンセント１２は、収納部２の内部に埋設される電力線を介しコネクタ１１の一個と電気的に接続する。これにより、コンセント１２は支持部３の導電体部２３と電気的に接続する。
【００２６】
ＵＳＢ電源１３は、収納部２の上面に複数個配設される。また、ＵＳＢ電源１３は、収納部２の内部に埋設される電力線を介しコネクタ１１の一個と電気的に接続する。これにより、ＵＳＢ電源１３は支持部３の導電体部２３と電気的に接続する。
【００２７】
電力線搬送通信機器１４は、収納部２の上面に電力線搬送通信機器のＬＡＮ用モジュラージャックが表出するよう収納部２に配設される。また、電力線搬送通信機器１４は、収納部２の内部に配設される電力線を介しコネクタ１１の一個と電気的に接続する。これにより、電力線搬送通信機器１４は、支持部３の導電体部２３と電気的に接続する。
【００２８】
＜支持部３＞
支持部３は、収納部２を支持しており、当該システム家具１の側板及び背板になる部分である。なお、図１に示す支持部３は、二個の前側板と二個の後側板兼背板用との構成から形成されるが、支持部３を構成する部材の数は特に限定されず、支持部３は一個の構成により側板及び背板が構成されもよく、二個の側板及び一個の背板により構成されてもよい。
【００２９】
また、支持部３は、図３に示すように複数の支持用凹部２１が形成される。この支持用凹部２１は、収納部２を支持するためのものであり、支持部３の側板部分の内側に、鉛直方向に垂直な方向に形成された溝状の凹部が形成される。この溝状の凹部は、特に限定されないが、蟻溝の形状に形成することができ、上述の収納部２の両側面の凸部１５を支持用凹部２１の蟻溝に合うように形成することにより、支持部３は、収納部２を強固に支持することができる。
【００３０】
また、支持用凹部２１は支持部３の側板部分の内側の上下方向に複数個形成されるため、所望の箇所の支持用凹部２１に収納部２を挿入することにより、所望の箇所に収納部２を配設することができる。
【００３１】
さらに、支持部３にコネクタ用凹部２２が形成される。このコネクタ用凹部２２は、支持用凹部２１とほぼ同じ高さに合わせて支持部２の背板部分の上下方向に複数形成される。このコネクタ用凹部２２は、収納部２のコネクタ１１が嵌合するよう形成される。コネクタ用凹部２２の形状は、コネクタ１１に嵌合する形状であればよく、例えば矩形状とすることができる。
【００３２】
支持部３は、複数の導電体部２３を有する。導電体部２３は、一対の帯状の導電体により構成され、支持部２の背板部分の上下方向に配設される複数のコネクタ用凹部２２を連結するように、支持部２の背板部分に配設される。
【００３３】
また、導電体部２３は、図４（ｂ）に示すように、導電体部２３の一部がコネクタ用凹部２２の両側壁に表出するように配設される。
【００３４】
導電体部２３は、導電する材料で形成される。用いられる材料としては、特に限定されないが銅、銅合金、ステンレス鋼またはメッキ処理を施した鉄、銅等を用いることができる。また、これらの形成材料に、メッキ、塗装、油焼き等のさび止めが施されていることが好ましい。
【００３５】
また、導電体部２３は、コネクタ用凹部２２を形成する際に配設することができる。具体的には、コネクタ用凹部２２と同一幅の溝を支持部３の背板部分のコネクタ用凹部２２が配設される箇所に沿って上下方向に形成する。形成された溝の両側壁部分にそれぞれ帯板状の導電体を設けることにより導電体部２３を配設することができる。また、配設したそれぞれの導電体に対して、コネクタ用凹部２２が形成される箇所以外に、導電体を覆う部材を配設することにより、コネクタ用凹部２２以外の箇所に位置する導電体部２３の一部を埋設することができる。導電体を覆う部材は、特に限定されないが、支持部３と同じ部材を用いることができ、また、絶縁効果のあるゴム状の部材等により覆うことができる。
【００３６】
このように導電体部２３を配設することにより、図４（ａ）に示すように、コネクタ用凹部２２が形成されない箇所では、導電体部２３は、支持部３内に埋設される。また、図４（ｂ）に示すように、コネクタ用凹部２２が形成される箇所では、一対の導電体部２３がコネクタ用凹部２２の両側壁に表出する。
【００３７】
＜コントロールボックス４＞
コントロールボックス４は、当該システム家具１の電気制御を集中コントロールするための構成部品を有し、図５に示すように電気接続部３１、制御部３２、ネットワーク接続部３３、電力線搬送通信機器３４及びバッテリ３５を備える。
【００３８】
また、コントロールボックス４は、支持部３により支持される。コントロールボックス４の筐体は、収納部２の引出タイプと同一形状とすることができ、この筐体の中にコントロールボックス４の構成部品が収納される。また、この筐体には、収納部２のコネクタ１１と同様の電極を有するコネクタが筐体の背面の横方向に複数個形成され、かつ支持部３の支持用凹部２１に嵌合可能な凸部がこの筐体の両側面の中央部分に棒状に形成される。これにより、支持部３にコントロールボックス４を脱着することができる。
【００３９】
電気接続部３１は、外部電源から電気が供給され、外部電源と接続するコンセントに挿入するプラグ、このプラグと連結する電源コード及びこの電源コードと連結する接続切替装置を有する。
【００４０】
電気接続部３１のプラグ及び電源コードは、コントロールボックス４の筐体から突出している。そのため、この筐体には、プラグ及び電源コードを突出させるための孔がコントロールボックス４の筐体に設けられており、プラグと電源コードは、この孔を通ってコントロールボックス４の筐体内に配設される接続切替装置と連結する。
【００４１】
この接続切替装置は、電気接続の接続先の切替や電気接続を遮断することが可能な装置である。また、この切替装置は、後述する制御部により制御され、制御部からの電気信号により複数の回路の電気接続を切り替える構成を有する。この接続切替装置は、コントロールボックス４の筐体のコネクタの電極と電気的に接続する。接続切替装置とコネクタの電極との接続は、コントロールボックス４の筐体内で直接連結されていてもよく、電力線を介し接続してもよい。かかる構成により、コントローボックス４の筐体が支持部３に挿入されることにより、接続切替装置は、支持部３の導電体部２３と電気的に接続する。
【００４２】
制御部３２は、当該システム家具１の電気制御を行うためのコンピューターである。制御部３２は、制御手段３２ａ、処理手段３２ｂ、記憶手段３２ｃ及び入出力手段３２ｄを備える。また、制御部３２は、電気接続部３１と電気的に接続する。
【００４３】
制御手段３２ａは、電気接続部３１と支持部３のそれぞれの導電体部２３との電気的接続を制御する。制御手段３２ａは、導電体部３２と接続する電気接続部３１の接続切替装置に対し制御信号を与えることにより、電気接続部３１と導電体部３２との電気的接続を制御する。
【００４４】
処理手段３２ｂは、制御手段３２ａからの制御状況を取得し、制御手段３２ａに対し電気的制御の指示を行う。処理手段３２ｂは、具体的には、記憶手段３２ｃに記憶される各種プログラムによるコンピューターの処理により実現される。
【００４５】
記憶手段３２ｃは、処理手段３２ｂが取得した制御状況のデータや制御手段３２ａ及び処理手段３２ｂにおいて用いられるプログラム等を記憶する。
【００４６】
入出力手段３２ｄは、処理手段３２ｂが取得した制御状況を出力する出力手段と、処理手段３２ｂに対し使用者が電気的制御を入力指示するための入力手段を有する。具体的な出力手段としては、特に限定されないがディスプレイ装置やスピーカを用いることができ、また入力手段としては、キーボードやポインティングデバイスを用いることができる。
【００４７】
ネットワーク接続部３３は、外部通信ネットワークと通信接続する。ネットワーク接続部３３は、外部通信ネットワークと通信接続するネットワークケーブル及びこのネットワークケーブルに連結するネットワークモデムを有する。また、このネットワークモデムは、制御部３２と通信接続する。さらに、ネットワークモデムは、電気接続部３１と電気的に接続され電気が供給される。
【００４８】
ネットワーク接続部３３のネットワークケーブルは、コントロールボックス４の筐体から突出している。そのため、この筐体にはネットワークケーブルを突出させるための孔が設けられており、ネットワークケーブルは、この孔を通ってコントロールボックス４の筐体内に配設されるネットワークモデムと連結する。
【００４９】
電力線搬送通信機器３４は、電力線を通信回線として利用するための装置であり、導電体部２３が、この電力線搬送通信機器３４と収納部２に配設される電力線搬送通信機器１４との間に配設されることにより、導電体部２３を通信回線として利用することができる。
【００５０】
電力線搬送通信機器３４は、ネットワーク接続部３３のネットワークモデムとネットワークケーブルにより通信接続される。また、電力線搬送通信機器３４は、コントロールボックス４の筐体のコネクタ１１の電極と直接、又はこの筐体内に配設される電力線を介し電気的に接続する。
【００５１】
バッテリ３５は、蓄電池であり、電気接続部３１の接続切替装置と電気的に接続する。これにより、外部電源からの電気をバッテリ３５に蓄電することができ、蓄電した電気を電気接続部３１の接続切替装置を介し導電体部２３に電気を供給することができる。用いられるバッテリ３５としては、特に限定されないが、例えばリチウムイオン電池、ニッケル水素電池、ニッケルカドミウム電池等が挙げられる。
【００５２】
＜制御方法＞
次に、制御部３２による当該システム家具１の電気制御方法について説明する。
【００５３】
まず、電気接続部３１と導電体部２３との電気的接続を遮断する場合について説明する。使用者が、入出力手段３２ｄに電気接続部３１と導電体部２３との電気的接続を遮断するように入力指示する。それを受けて、処理手段３２ｂは入出力手段からの遮断指示に応じて記憶手段３２ｃに記憶されるプログラムにより、制御手段３２ａに対して制御指示を行う。そして、制御手段３２ａは、電気接続部３１の接続切替装置に対し遮断指示の電気信号を送信することにより、電気接続部３１の接続切替装置は、導電体部２３との接続を停止する。また、導電体部２３との電気的接続を開始する場合も同様である。これにより、電気接続部３１と導電体部２３との電気的接続を制御することができる。なお、これらの制御は、導電体部２３ごとに行うことができる。
【００５４】
次に、外部電源から電気が供給される状態とバッテリ３５から電気が供給される状態とを切り替える方法について説明する。使用者が、入出力手段３２ｄに対し外部電源から電気を供給するように入力指示すると、処理手段３２ｂは入力手段３２ｄからの指示に応じて、記憶手段３２ｃに記憶されるプログラムにより、制御手段３２ａに対して外部電顕から電気を供給するよう指示する。そして、制御手段３２ａは、電気接続部３１の接続切替装置に対して外部電源からの接続に切り替えるための電気信号を送信することにより接続切替装置は外部電源からの接続に切り替える。また、使用者が、バッテリから電気供給するように入力手段３２ｄに対し支持した場合も同様に、処理手段３２ｂはその指示を制御手段３２ａに伝え、制御手段３２ａは電気接続部３１の接続切替装置に電気信号を送信することにより、接続切替装置はバッテリとの接続に切り替える。なお、これらの制御は、導電体部２３ごとに行うことができる。
【００５５】
また、これらの制御方法は、上述のように使用者による入力手段３２ｄを介しての指示により行われもよく、記憶手段に記憶される制御状況に応じて処理手段３２ｂが自動計算を行い一定の基準値をもとに制御手段３２ａに制御指示を行う構成でもよい。
【００５６】
＜利点＞
当該システム家具１においては、外部電源と接続する電気接続部３１は、支持部３の導電体部２３と電気的に接続しているため、支持部３のコネクタ用凹部２１に表出する導電体部２３の電極と当接する収納部２のコネクタ１１を介しコンセント１２、ＵＳＢ電源１３及び電力線搬送通信機器１４に電気が供給される。そして、これらコンセント１２、ＵＳＢ電源１３及び電力線搬送通信機器１４を備える収納部２は、支持部３に設けられた複数の支持用凹部２１の所望の箇所に収納部２の凸部１５によって挿入することができるため、コンセント１２等の電気機器を備えた収納部２を所望の箇所に配設することができる。そして、収納部２の上面にコンセント１２やＵＳＢ電源１３等の電気機器を備えているため、不要に電源コードを表出させることなく種々の電気製品を収納部２に載置又は収納することができ、簡便に電源コードをこれら電気機器に接続することができる。
【００５７】
また、導電体部２３は、複数有しているため、コンセント１２やＵＳＢ電源等の複数の電気機器を利用することができる。そして、支持部３の導電体部２３と収納部２のコネクタ１１は、収納部２の背面の箇所で接続するので、使用者から隠れた箇所で接続するため感電等の危険が少ない。
【００５８】
さらに、当該システム家具１は、外部通信ネットワークと通信接続するネットワーク接続部３３に通信接続する電力線搬送通信機器３４と収納部２に配設される電力線搬送通信機器１４とを有するため、こられ電力線搬送通信機器３４と電力線搬送通信機器１４との間の支持部３の導電体部２３は、通信回線として機能する。従って、収納部２の電力線搬送通信機器１４に接続することにより、収納部２に載置／収納する情報処理機器は、外部通信ネットワークを利用することができる。
【００５９】
また、当該システム家具１は、電気的制御を制御可能な制御部３２を備えており、この制御部３２が、電気接続部３１に対して導電体部２３との電気的制御を行うことにより、導電体部２３に電気的に接続される収納部２のコンセント１２等の電気機器の制御をすることができる。また、使用者が入出力手段から制御指示をすることにより、収納部に配設される電気機器を制御することができ、また、制御手段による制御状況を入出力手段により確認することができる。
【００６０】
さらに、当該システム家具１は、バッテリ３５を備えているため、電気を蓄電することができ、制御部３２の指示により、外部電源からの電気が供給される状態とバッテリ３５から電気が供給される状態とを切り替えることができる。これにより、所望のタイミングで利用する電気供給源を選択することができるため、コスト的優位な時間帯にバッテリ３５に蓄電しておき、そうでない時間帯にその電気を利用することで電気コストを節約することができる。
【００６１】
＜その他の実施形態＞
なお、本発明は、上記実施形態の構成に限定されるものではなく、以下の実施形態も有する。
【００６２】
収納部は、支持部の導電体部と電気的に接続する複数の照明装置を備えてもよい。また、照明装置は、収納部の上面に複数個配設されてもよい。照明装置は、収納部の内部に埋設される電力線を介し収納部のコネクタの一つと電気的に接続する。これにより、収納部は、支持部の導電体部と電気的に接続するため、外部電源から電気が供給される。
【００６３】
また、照明装置は、種々の照明装置を用いることができる。特に限定されないが、例えば発光ダイオード、白熱電球や蛍光灯を用いることができる。
【００６４】
当該システム家具が、収納部に照明装置を備えることにより、所望の箇所に照明装置を備える収納部を支持部に挿入することができるため、所望の箇所からシステム家具を照明することができる。
【００６５】
また、上述の実施形態では、コンセント、ＵＳＢ電源及び電力線搬送通信機器が配設される収納部について説明したが、収納部は、これら電気機器を一つだけ有してもよく、またコンセント及びＵＳＢ電源のみ等２つの電気機器を備える構成でもよい。
【００６６】
さらに、上述の実施形態では、電気機器が配設される収納部は、図２に示すように天板状の収納部について説明したが、電気機器が配設される収納部は、天板タイプの収納部に限定されず、引出タイプの収納部に電気機器が配設されてもよい。
【００６７】
当該システム家具は、電気接続部は、支持部の導電体部と直接接続してもよい。例えば導電体部との電気的制御が必要ない場合においては、電気接続部を導電体部に直接接続することにより、単純な構成の当該システム家具を形成することができる。
【００６８】
また、制御部は、コンピューターでなく、電気接続を制御するためのスイッチであってもよい。このスイッチは、電気接続部の接続切替装置と連結されており、スイッチを押下することにより、電気的接続を制御することができる構成を採用することができる。
【００６９】
また、コントロールボックスは、電力計を備えてもよく、これにより使用される電力量を把握することができる。さらに、ノイズフィルターを備えてもよい。これにより電力線搬送通信による通信を安定させることができる。
【００７０】
さらに、当該システム家具においては、外部より外部通信ネットワークを介し遠隔操作することによって、ネットワーク接続部と接続する処理部を通じて電気接続部と導電体部との電気的制御を行うことができる。
【００７１】
当該システム家具においては、壁に取付けるタイプのシステム家具でもよい。これにより、外部電源との接続に使用する電源コードを不要に表出するのを防ぐことができる。また、図６に示すように、壁の角の形状に合わせるタイプのシステム家具でもよい。この場合であっても、図７に示すような上述のコネクタ及び電気機器を備える略扇形形状の収納部４２を配設することにより、スペースを有効に利用してシステム家具を配置することができる。
【００７２】
また、当該システム家具においては、キャスター付きタイプのシステム家具でもよい。これにより、バッテリから電気を供給させている際においては、所望の位置に当該システム家具を自由に移動させる等、電気を外部から供給することが困難な状況下においても収納部に載置している電気製品を使用することができる。
【産業上の利用可能性】
【００７３】
以上のように、本発明のシステム家具は、家庭内又は事業者等に設置するシステム家具として利用することができる。
【符号の説明】
【００７４】
１  システム家具
２  収納部
２ａ  引出タイプの収納部
２ｂ  天板タイプの収納部
３  支持部
４  コントロールボックス
１１  コネクタ
１２  コンセント
１３  電源
１４  電力線搬送通信機器
１５  凸部
２１  支持用凹部
２２  コネクタ用凹部
２３  導電体部
３１  電気接続部
３２  制御部
３２ａ  制御手段
３２ｂ  処理手段
３２ｃ  記憶手段
３２ｄ  入出力手段
３３  ネットワーク接続部
３４  電力線搬送通信機器
３５  バッテリ
４２  略扇形形状の収納部
【図１】
2014039618.tif 000003
【図２】
2014039618.tif 000004
【図３】
2014039618.tif 000005
【図４】
2014039618.tif 000006
【図５】
2014039618.tif 000007
【図６】
2014039618.tif 000008
【図７】
2014039618.tif 000009